(57)【要約】【課題】簡易な構成で低コストで取り付け可能なものでありながら、防虫ネットの天窓と窓枠との間からのはみ出しを確実に防止する。【解決手段】はみ出し防止手段として、防虫ネット３０の一端３０ａから他端３０ｂに至るまでの間の中途に係合される係合部４０ａを備え、該防虫ネット３０を係合位置から内方に引き込むように付勢するコイルスプリング４０を有する。従って、天窓２０を閉じていくと、防虫ネット３０は、略中央部が内方に引っ張られた状態になっているため、天窓２０の開口端縁２０ｂが接近する他方の長手方向骨組み材１１の内側に折りたたまれるように収容される。この結果、防虫ネット３０は、天窓２０と窓枠との隙間からはみ出ることなく収容されることになる。【選択図】  図１
2007111041.tif 000002
【特許請求の範囲】
【請求項１】
一端が温室の天窓の開口端縁付近に係合され、他端が該天窓の窓枠付近に係合されて配設され、天窓の開放動作に伴って展張される防虫ネットを備えた温室の天窓用防虫装置であって、
前記天窓を閉じる際に、前記防虫ネットが天窓と窓枠との隙間から外部にはみ出ることを防止するはみ出し防止手段を備えていることを特徴とする天窓用防虫装置。
【請求項２】
前記はみ出し防止手段は、前記防虫ネットの一端から他端に至るまでの間の中途に係合される係合部を備え、常態において、該防虫ネットを天窓の開口端縁よりも内方に引き込むように付勢する弾性部材を有してなることを特徴とする請求項１記載の天窓用防虫装置。
【請求項３】
前記弾性部材は、一端に前記係合部が設けられ、他端が、天窓の内側であって、天窓の開放動作の回転中心付近に位置する骨組み材に支持されてなるコイルスプリングから構成され、適宜間隔をおいて複数配設されていることを特徴とする請求項２記載の天窓用防虫装置。
【請求項４】
前記防虫ネットの周囲に帯状部材が付設されており、前記弾性部材の係合部が該帯状部材に係合されていることを特徴とする請求項２又は３記載の天窓用防虫装置。
【請求項５】
前記はみ出し防止手段は、一端が、前記防虫ネットの一端側が係合されている天窓の開口端縁付近に連結され、他端が、前記防虫ネットの他端側が係合されている位置よりも内方を通過して垂れ下げられた紐状部材を備えてなることを特徴とする請求項１記載の天窓用防虫装置。
【請求項６】
前記紐状部材の他端が、前記防虫ネットの他端付近を貫通し、窓枠よりも内方に位置するように垂れ下げられていることを特徴とする請求項５記載の天窓用防虫装置。
【請求項７】
前記紐状部材が金属製線材からなることを特徴とする請求項５又は６記載の天窓用防虫装置。
【発明の詳細な説明】
【技術分野】
【０００１】
本発明は、温室に設けられる天窓用防虫装置に関する。
【背景技術】
【０００２】
特許文献１には、温室の天窓開口部に巻き取りロールを設け、この巻き取りロールに防虫ネットを巻き取り支持し、天窓の開閉動作に同期する巻き取りロール駆動手段を設けて、防虫ネットを天窓の開閉動作に合わせて巻き取り又は巻き戻しする装置が開示されている。
【特許文献１】特開２００４−１８７５７８号公報
【発明の開示】
【発明が解決しようとする課題】
【０００３】
特許文献１に記載の装置によれば、天窓を閉じる際には、巻き取りロールによって防虫ネットが巻き取られていくため、天窓を閉じた際に、天窓と窓枠との間から防虫ネットがはみ出た状態で閉じられてしまうようなことはない。しかしながら、かかる構成では、巻き取りロール、該巻き取りロールの駆動手段、天窓の開閉動作に同期させる手段等を設ける必要があり、構造が複雑で設置コストも高い。
【０００４】
本発明は上記に鑑みなされたものであり、簡易な構成でかつ低コストで取り付け可能なものでありながら、防虫ネットの天窓と窓枠との間からのはみ出しを確実に防止できる温室の天窓用防虫装置を提供することを課題とする。
【課題を解決するための手段】
【０００５】
上記した課題を解決するため、請求項１記載の本発明では、一端が温室の天窓の開口端縁付近に係合され、他端が該天窓の窓枠付近に係合されて配設され、天窓の開放動作に伴って展張される防虫ネットを備えた温室の天窓用防虫装置であって、
前記天窓を閉じる際に、前記防虫ネットが天窓と窓枠との隙間から外部にはみ出ることを防止するはみ出し防止手段を備えていることを特徴とする天窓用防虫装置を提供する。
請求項２記載の本発明では、前記はみ出し防止手段は、前記防虫ネットの一端から他端に至るまでの間の中途に係合される係合部を備え、常態において、該防虫ネットを天窓の開口端縁よりも内方に引き込むように付勢する弾性部材を有してなることを特徴とする請求項１記載の天窓用防虫装置を提供する。
請求項３記載の本発明では、前記弾性部材は、一端に前記係合部が設けられ、他端が、天窓の内側であって、天窓の開放動作の回転中心付近に位置する骨組み材に支持されてなるコイルスプリングから構成され、適宜間隔をおいて複数配設されていることを特徴とする請求項２記載の天窓用防虫装置を提供する。
請求項４記載の本発明では、前記防虫ネットの周囲に帯状部材が付設されており、前記弾性部材の係合部が該帯状部材に係合されていることを特徴とする請求項２又は３記載の天窓用防虫装置を提供する。
請求項５記載の本発明では、前記はみ出し防止手段は、一端が、前記防虫ネットの一端側が係合されている天窓の開口端縁付近に連結され、他端が、前記防虫ネットの他端側が係合されている位置よりも内方を通過して垂れ下げられた紐状部材を備えてなることを特徴とする請求項１記載の天窓用防虫装置を提供する。
請求項６記載の本発明では、前記紐状部材の他端が、前記防虫ネットの他端付近を貫通し、窓枠よりも内方に位置するように垂れ下げられていることを特徴とする請求項５記載の天窓用防虫装置を提供する。
請求項７記載の本発明では、前記紐状部材が金属製線材からなることを特徴とする請求項５又は６記載の天窓用防虫装置を提供する。
【発明の効果】
【０００６】
本発明は、はみ出し防止手段を備えているため、防虫ネットを巻き取りロールに巻き取り支持させる必要はなく、簡易な構成で、はみ出しを防止できる。特に、はみ出し防止手段として、防虫ネットの一端から他端に至るまでの間の中途に係合される係合部を備え、該防虫ネットを係合位置から内方に引き込むように付勢する弾性部材を用いることにより、簡易かつ低コストでありながら、確実に防虫ネットのはみ出しを防止できる。同様に、一端が天窓の開口端縁付近に連結され、他端が防虫ネットの他端側の係合位置よりも内方を通過して垂れ下げられる紐状部材を用いても、簡易かつ低コストで防虫ネットのはみ出しを防止できる。
【発明を実施するための最良の形態】
【０００７】
以下、図面に示した実施の形態に基づき本発明をさらに詳細に説明する。図１及び図２は、本発明の一の実施形態に係る天窓用防虫装置を示す図である。図において、符号１０は、温室の幅方向に沿ってアーチ形等に配設される骨組み材であり、符号１１は、温室の長手方向に沿って配設され、上記骨組み材１０に固定される長手方向骨組み材である。長手方向骨組み材１１は、温室の幅方向に互いに略平行に複数本配設され、天井付近に配設された２本の長手方向骨組み材１１間において、外被フィルムが設けられていない開口部１２が形成されている。天窓２０は、この開口部１２を開閉するために設けられる。
【０００８】
本実施形態においては、天窓２０は、その基端部２０ａが、一方の長手方向骨組み材１１にヒンジ機構１５を介して連結支持されており、該基端部２０ａを中心として、反対側の端部（開口端縁）２０ｂが他方の長手方向骨組み材１１に離接可能になっている。従って、上記各長手方向骨組み材１１は、天窓２０の窓枠として機能する。また、温室の幅方向に沿ってアーチ形等に配設される骨組み材１０も、天窓２０の長手方向端部側においては、窓枠として機能する。
【０００９】
天窓２０の開口端縁２０ｂ付近であって、該開口端縁２０ｂよりもやや内側寄りには、防虫ネット係合部材２１が設けられており、該防虫ネット係合部材２１に、防虫ネット３０の一端（上端）３０ａが係合される。防虫ネット３０の他端（下端）３０ｂは、窓枠を構成する他方の長手方向骨組み材１１に隣接して開口部１２側に配設した防虫ネット係合部材１３に係合される。防虫ネット３０は、天窓２０を最も開口させた状態で、２つの防虫ネット係合部材２１，１３間に掛け渡される長さ（幅）を備えたものであって、害虫の侵入を防ぐことができる網目を有するものであれば、どのようなものであってもよい。
【００１０】
防虫ネット３０の一端３０ａから他端３０ｂまでの中途において、好ましくは、一端３０ａから他端３０ｂまでの略中央部に、はみ出し防止手段としての弾性部材であるコイルスプリング４０の一端に設けられた係合部４０ａが係合される。コイルスプリング４０の他端４０ｂは、一方の長手方向骨組み材１１付近に連結されている。従って、コイルスプリング４０の弾性力により、防虫ネット３０の略中央部は、常態において内方に引き込まれる方向に付勢されている。コイルスプリング４０は天窓２０の長手方向に沿って所定間隔毎に複数配設される。なお、防虫ネット３０は、天窓２０を開放したときに、天窓２０の長手方向端部と温室の幅方向に沿ってアーチ形等に配設された骨組み材１０との間に生じる略三角形状の端面開口部も被覆し得るように配設される。従って、防虫ネット３０のうち、この端面開口部を被覆している略三角形状部３０ａの中途にも、他のコイルスプリング（図示せず）などを配設してその係合部を係合させる構成とすることが好ましい（図３参照）。
【００１１】
上記構成からなる本実施形態の天窓用防虫装置は、図１（ｂ）の状態から図１（ａ）に示したように天窓２０を開放動作させると、防虫ネット３０の一端３０ａが天窓２０に設けた防虫ネット係合部材２１に連結されているため、一端３０ａが天窓２０の開口端縁２０ｂと共に上昇し、展張される。このとき、防虫ネット３０の略中央部には、コイルスプリング４０の係合部４０ａが係合されているため、該防虫ネット３０は、略中央部から内方に引き込まれる方向に付勢されていることになる。一方、図１（ａ）の開放状態から図１（ｂ）に示した方向に天窓２０を閉じていくと、防虫ネット３０は、略中央部が内方に引っ張られた状態になっているため、天窓２０の開口端縁２０ｂが接近する他方の長手方向骨組み材１１の内側に折りたたまれるように収容される。具体的には、図２に示したように、長手方向骨組み材１１と開口端縁２０ｂよりも内方寄りに設けた防虫ネット係合部材２１との間に形成される空間Ａ内に折りたたまれるように収容されていく。この結果、防虫ネット３０は、天窓２０と窓枠（他方の長手方向骨組み材１１等）との隙間からはみ出ることなく収容されることになる。
【００１２】
上記した説明では、コイルスプリング４０の係合部４０ａを、防虫ネット３０の略中央部に直接係合させているが、図３に示したように、防虫ネット３０の略中央部において、防虫ネット３０の周囲を取り囲むように帯状部材４５を設け、この帯状部材４５にコイルスプリング４０の係合部４０ａを係合する構成とすることもできる。帯状部材４５としては、紐部材、ゴム等を用いることができるが、このような帯状部材４５を設けることにより、隣接して配置したコイルスプリング４０間に位置する防虫ネット３０の一部も弛ませることなくより確実に収容することができる。また、防虫ネット３０のうち、天窓２０を開放した際に生じる端面開口部を被覆している略三角形状部３０ａも、帯状部材４５によって取り囲むことにより、略三角形状部３０ａを収納するための専用のコイルスプリングを設けることなく、略三角形状部３０ａのはみ出しを防止できる。
【００１３】
なお、天窓２０を開閉させる手段は任意である。図１及び図２では、ラック２５を天窓２０に連結させて開閉する手段を示しているが、これはあくまで一例であり、本発明にとって天窓２０の開閉手段は何ら限定されるものではない。
【００１４】
図４及び図５は本発明の他の実施形態を示す図である。天井部の頂部側に位置する一方の長手方向骨組み材１１付近にヒンジ機構１５を設け、天窓２０の基端部２０ａを該ヒンジ機構１５に支持させて、反対側の端部（開口端縁）２０ｂが上下に開閉可能になっている点、並びに、天窓に設けた防虫ネット係合部材２１に防虫ネット３０の一端（上端）３０ａが係合され、窓枠を構成する他方の長手方向骨組み材１１に隣接して設けた防虫ネット係合部材１３に該防虫ネット３０の他端（下端）３０ｂが係合されている点は上記実施形態と同様であるが、はみ出し防止手段の構成が異なる。すなわち、本実施形態では、はみ出し防止手段として、針金等からなる紐状部材５０を用いている。但し、紐状部材５０は、防虫ネット３０が外側にはみ出すことを抑える必要があるため、防虫ネット３０に押されて外側に大きく撓んだりすることのない、ある程度の剛性がある針金等の金属製線材を用いることが好ましい。
【００１５】
紐状部材５０は、一端５０ａが略Ｕ字状に折り曲げられ（図５参照）、その他の部分は他端５０ｂを含めてほぼ直線状に形成されている。略Ｕ字状に折り曲げられた一端５０ａは、防虫ネット３０の一端３０ａと共に、天窓２０の開口端縁２０ｂ付近にに設けた防虫ネット係合部材２１内に係合され、他端５０ｂは、防虫ネット３０の他端３０ｂが係合されている位置よりも内方を通過して垂れ下げられている。他端５０ｂは、窓枠を形成する他方の長手方向骨組み材１１よりも内方であって、開口部１２内に垂れ下がるように配設することが好ましい。このように他端５０ｂが自由端になっていることにより、紐状部材５０は、天窓２０の開閉位置に拘わらず、一端５０ａから他端５０ｂに至るまでほぼ直線の形状を維持できる。防虫ネット３０の他端３０ｂは、他方の長手方向骨組み材１１に隣接する防虫ネット係合部材１３に連結されている。このため、紐状部材５０の他端５０ｂを他方の長手方向骨組み材１１よりも内方に垂れ下げるには、図４に示したように、防虫ネット３０の他端３０ｂ付近を貫通させて配設する。なお、該紐状部材５０は、適宜間隔ごとに複数配設される。
【００１６】
本実施形態によれば、紐状部材５０は、図４（ａ）に示したように、天窓２０の開放状態では、他端５０ｂ付近を除いた部分が、防虫ネット３０よりも外側に位置する。従って、図４（ａ）に示した状態から、天窓２０を閉じていくと、防虫ネット３０が外方に撓んだとしても、紐状部材５０に当接して撓みが抑えられる。また、この際、紐状部材５０は、他端５０ｂが他方の長手方向骨組み材１１よりも内方において固定されずに垂れ下げられており、天窓２０を閉じていくと、該他端５０ｂはそのまま下方に移動するため、紐状部材５０自体が外方に撓むこともない。この結果、図４（ｂ）及び図５に示したように、天窓２０を閉じた状態においては、防虫ネット３０は、紐状部材５０の内側に折りたたまれるように収納され、外側へのはみ出しが防止される。なお、図４及び図５においては、紐状部材５０の一端５０ａを、防虫ネット３０の一端３０ａ付近を貫通させずに、防虫ネット係合部材２１に支持させているが、図６に示したように、紐状部材５０の一端５０ａを、防虫ネット３０の一端３０ａ付近を貫通させて天窓２０に連結することもできる。この場合にも、紐状部材５０の一端５０ａ及び他端５０ｂ付近を除いた部分が、防虫ネット３０よりも外側に位置するため、図４及び図５に示した態様と同様に防虫ネット３０のはみ出しを抑制できる。
【図面の簡単な説明】
【００１７】
【図１】図１は、本発明の一の実施形態にかかる天窓用防虫装置を示す図であって、（ａ）は天窓開放時の状態を、（ｂ）は天窓閉鎖時の状態を示す図である。
【図２】図２は、天窓閉鎖時の要部を示す図である。
【図３】図３は、防虫ネットの周囲を取り囲むように帯状部材を設けた態様を示す図である。
【図４】図４は、本発明の他の実施形態にかかる天窓用防虫装置の要部を示す図であって、（ａ）は天窓開放時の状態を、（ｂ）は天窓閉鎖時の状態を示す図である。
【図５】図５は、天窓閉鎖時の要部を示す図である。
【図６】図６は、紐状部材の取りつけ方の他の例を説明するための図である。
【符号の説明】
【００１８】
１０  骨組み材
１１  長手方向骨組み材
１２  開口部
２０  天窓
２０ｂ  開口端縁
３０  防虫ネット
５０  紐状部材
【図１】
2007111041.tif 000003
【図２】
2007111041.tif 000004
【図３】
2007111041.tif 000005
【図４】
2007111041.tif 000006
【図５】
2007111041.tif 000007
【図６】
2007111041.tif 000008